(57)【要約】
【課題】　ユーザが、装置を接続または切断するとき、データ記憶装置が動作状態にあるか否か確認することができるシリアルＡＴＡ移動ラックを提供すること。
【解決手段】　背面パネルを有するハウジングと、ハウジングの背面パネルに固定して設けられたアダプタであって、信号セグメントと電力セグメントとで形成されたコネクタと、背面に配置され、信号の入力／出力のために信号セグメントに電気的に接続された信号線と、背面に配置され、電力セグメントに電気的に接続された、電気プラグを有する電力コードとを備えるアダプタと、ハウジングの背面パネルに装着された回路板であって、外部電源を受けるように適合された電力入力ソケットと、アダプタの電力セグメントに電力を出力するための、電力コードの電気プラグを受けるように適合された電力出力ソケットとを備える回路板とを含む。
【選択図】　図１
0003099178.tif 000002
【実用新案登録請求の範囲】
【請求項１】
背面パネルを有するハウジングと、
　前記ハウジングの背面パネルに固定して設けられたアダプタであって、信号セグメントと電力セグメントとで形成されたコネクタと、背面に配置され、信号入力／出力のために前記信号セグメントに電気的に接続された信号線と、前記背面に配置され、前記電力セグメントに電気的に接続され、電気プラグを有する電力コードとを備えるアダプタと、
　前記ハウジングの背面パネルに装着された回路板であって、外部電源を受けるように適合された電力入力ソケットと、前記アダプタの前記電力セグメントへ電力を出力するための、前記電力コードの電気プラグを受けるように適合された電力出力ソケットとを備える回路板とを含み、
　それにより、前記ハウジングが、データ記憶装置を保持する内部ケースと、電力オン／オフ制御のために前記電力入力ソケットと前記電力出力ソケットの間に接続された電力スイッチとを収容することを特徴とするシリアルＡＴＡ移動ラック。
【請求項２】
前記電力出力ソケットが、電力オン／オフを表示するために電力インジケータに結合された第１電力ピンと接地ピンとを有することを特徴とする請求項１に記載のシリアルＡＴＡ移動ラック。
【請求項３】
前記電力出力ソケットが、前記内部ケースのデータ記憶装置のオン／オフ動作状態を表示するために、データ記憶装置インジケータに結合されたＡｃｔ＿ＨＤＤ信号ピンと第２電力ピンとをさらに備えることを特徴とする請求項２に記載のシリアルＡＴＡ移動ラック。
【請求項４】
前記信号線が、前記アダプタと一体に形成されることを特徴とする請求項１に記載のシリアルＡＴＡ移動ラック。
【請求項５】
前記アダプタが、前記信号セグメントに電気的に接続され、かつ前記信号線を受けるように適合された信号線コネクタをさらに備えることを特徴とする請求項１に記載のシリアルＡＴＡ移動ラック。
【請求項６】
前記内部ケースが、前記アダプタの信号セグメントと電力セグメントとを前記データ記憶装置に電気的に接続することを可能にするために、前記アダプタを受けるように適合された接続ポートを有することを特徴とする請求項１に記載のシリアルＡＴＡ移動ラック。
【請求項７】
前記回路板が、第２電力出力ソケットを備え、前記ハウジングが、前記第２電力出力ソケットに電気的に接続されたファンをさらに備えることを特徴とする請求項１に記載のシリアルＡＴＡ移動ラック。
【考案の詳細な説明】
【技術分野】
【０００１】
　本考案は、ＰＣ用シリアルＡＴＡ移動ラックに関し、より具体的には、電力制御を有するＳＡＴＡ移動ラックに関する。
【背景技術】
【０００２】
　ＳＡＴＡ（シリアルＡＴＡ）は、ＰＣ用の次世代記憶インタフェース規格であり、ウルトラＡＴＡパラレル相互接続ケーブルをより小さく、より柔軟なシリアル設計で置き換えるように設計されている。様々なＳＡＴＡインタフェース周辺装置が開発されてきた。ＰＣ用のＳＡＴＡ移動ラックは、そのような設計の１つである。ＳＡＴＡ移動ラックは、７ピン信号セグメントと１５ピン電力セグメントとからなる。電力セグメントと信号セグメントの間の頻繁な接続と切断による信号の減衰または伝送時の遅延を防止するために、ＳＡＴＡインタフェース・アダプタを移動ラックのハウジングの背面に直接取り付ける供給者が存在する。内部ケースをハウジングの中に挿入した後、内部ケースのデータ記憶装置の信号および電力コネクタにアダプタを電気的に接続する。アダプタの電力セグメントがデータ記憶装置に直接接続されるので、ＳＡＴＡ移動ラックは、ＩＤＥインタフェース・タイプの移動ラックのようには、電力制御および／または動作状態表示の機能を提供しない。したがって、ユーザは、装置を接続または切断するとき、データ記憶装置が動作状態にあるか否か確認することができない。
【考案の開示】
【考案が解決しようとする課題】
【０００３】
　本考案は、このような状況に鑑みてなされた。本考案の主な目的は、上述した欠点をなくするシリアルＡＴＡ移動ラックを提供することである。
【課題を解決するための手段】
【０００４】
　本考案の一態様によれば、シリアルＡＴＡ移動ラックは、背面パネルを有するハウジングと、ハウジングの背面パネルに固定して設けられたアダプタであって、信号セグメントと電力セグメントとで形成されたコネクタと、背面に配置され、信号の入力／出力のために信号セグメントに電気的に接続された信号線と、背面に配置され、電力セグメントに電気的に接続された、電気プラグを有する電力コードとを備えるアダプタと、ハウジングの背面パネルに装着された回路板であって、外部電源を受けるように適合された電力入力ソケットと、アダプタの電力セグメントに電力を出力するための、電力コードの電気プラグを受けるように適合された電力出力ソケットとを備える回路板とを含み、ハウジングは、データ記憶装置を保持する内部ケースと、電力オン／オフ制御のために電力入力ソケットと電力出力ソケットの間に接続された電力スイッチとを有する。
【０００５】
　本考案の他の態様によれば、電力出力ソケットは、電力オン／オフを表示するために電力インジケータに結合された第１電力ピンと接地ピンとを有する。
【０００６】
　本考案の他の態様によれば、電力出力ソケットは、内部ケースのデータ記憶装置のオン／オフ動作状態を表示するためにデータ記憶装置インジケータに結合されたＡｃｔ＿ＨＤＤ信号ピンと第２電力ピンとをさらに備える。
　又、前記信号線が、前記アダプタと一体に形成されることが好適である。
　又、前記アダプタが、前記信号セグメントに電気的に接続され、かつ前記信号線を受けるように適合された信号線コネクタをさらに備えることが好適である。
　又、前記内部ケースが、前記アダプタの信号セグメントと電力セグメントとを前記データ記憶装置に電気的に接続することを可能にするために、前記アダプタを受けるように適合された接続ポートを有することが好適である。
　さらに、前記回路板が、第２電力出力ソケットを備え、前記ハウジングが、前記第２電力出力ソケットに電気的に接続されたファンをさらに備えることが好適である。
【考案を実施するための最良の形態】
【０００７】
　本考案は以下の説明および添付の図面を参照することにより、より完全に理解することができる。
【０００８】
　図１〜４を参照すると、ハウジング１と内部ケース２とを備える本考案によるＳＡＴＡ移動ラックが示されている。
【０００９】
　ハウジング１は、パーソナル・コンピュータのメインフレームの装着空間に装着可能な中空フレーム・ラックであり、内部ケース２を収容するように適合された室１１を画定する。ハウジング１は、背面パネル１２と、内部ケース２の背面パネル２１の接続ポート２１１に対応する背面パネル１２内に固定して設けられたアダプタ１３と、背面パネル１２の上に固定して配置された回路板１４とを供える。アダプタ１３は、信号セグメント１３１ａと電力セグメント１３２ａとで形成され、かつ内側面に配置されたコネクタと、背面に配置され、かつ信号セグメント１３１ａに電気的に接続された信号線１３１ｂと、背面に配置され、かつ電力セグメント１３２ａに電気的に接続された電力コード１３２ｂとを備える。信号線１３１ｂは、パーソナル・コンピュータのマザーボードまたは１つのインタフェース・カードに接続するためのコネクタ１３１ｄを有する。電力コード１３２ｂは、回路板１４に接続するための電気プラグ１３２ｃを有する（これについては、後述する）。
【００１０】
　さらに、アダプタ１３は、２つの装着装置を有し、たとえば、ねじまたはリベットで背面パネル１２内で取り付けるために、２つの側面に配置された装着フランジ１３３である。アダプタ１３は、信号線１３１ｂを接続するための、背面にあるコネクタを有するようにすることができる。別法として、信号線１３１ｂは、アダプタ１３と一体に形成することができる。
【００１１】
　回路板１４は、電力アダプタの電気プラグを接続して電力を入力するための、他の側面上に配置された電力入力ソケット１４１を備える。電力入力ソケット１４１のピン１４１ａとピン１４１ｄ（１２Ｖおよび１５Ｖ）は、それぞれ、接触ユニット１４２の接点１４２ａと１４２ｄに電気的に接続され、次いで、電気ワイヤ１４３によってハウジング１の前面パネルの電力スイッチ１４４に接続され、他の２つの電気ワイヤ１４３は、他の２つの接点１４２ｂと１４２ｃとに接続されて、制御ループを形成する。接点１４２ｂと１４２ｃとは、電力出力ソケット１４５のピン１４５ａと１４５ｄとに電気的に接続され、このソケットは、電力コード１３２ｂの電気プラグ１３２ｃを受けるように適合される。ピン１４１ｂ、１４１ｃ、１４５ｂ、および１４５ｃは、接地される。したがって、電力スイッチ１４４を切り替えることにより、電力セグメント１３２ａは、電気的に接続／切断される。
【００１２】
　電力出力ソケット１４５は、３．３Ｖのピン１４５ｅと、信号Ａｃｔ＿ＨＤＤのピン１４５ｆとをさらに備える。信号ピン１４５ｆは、接点１４２ｇに電気的に接続される。ピン１４５ｄは、接点１４２ｈに電気的に接続される。接点１４２ｇと１４２ｈとは、電気ワイヤ１４６によってＬＥＤ１４７などの第１インジケータに接続され、ループを形成する。内部ケース２のデータ記憶装置にアクセスするとき、ＬＥＤ１４７は、ターン・オンされる。さらに、接点１４２ｆは、５Ｖの電力を獲得するために、ピン１４５ｄに電気的に接続される。接点１４２ｅは、接地される。接点１４２ｅと１４２ｆとは、電気ワイヤ１４６によってＬＥＤ１４８などの第２インジケータに電気的に接続され、ループを形成する。電力がオンのとき、ＬＥＤ１４８は、ターン・オンされる。対象的に、電力がオフのとき、ＬＥＤ１４８は、ターン・オフされる。
【００１３】
　回路板１４は、電力出力ソケット１４９をさらに備える。電力出力ソケット１４９は、電力出力ソケット１４５のピン１４５ａに電気的に接続され、かつハウジング１の背面パネル１２にあるファン１５に必要な動作電圧を提供するように適合された、１つのピン１４９ａを有する。電力出力ソケット１４９の他のピン１４９ｂは、接地される。
【００１４】
　内部ケース２は、ハード・ディスクなど、内部に取り付けられたＳＡＴＡインタフェース・タイプのデータ記憶装置を有する。上述したように、内部ケース２の背面パネル２１の接続ポート２１１は、アダプタ１３の信号セグメント１３１ａと電力セグメント１３２ａとを受けるように適合される。
【００１５】
　上記で指摘したように、アダプタの信号セグメントは、回路板を通しては内部ケースに接続されない。信号セグメントは、データ信号を高速で安定して伝送するために、信号線を介して、パーソナル・コンピュータに直接接続される。アダプタの電力セグメントは、電力コードにより回路板の電力出力ソケットに接続される。回路板は、アダプタの電力セグメントに電力を供給する入力用の電力入力ソケットを有する。電力スイッチは、ハウジングの前面パネルに取り付けられ、電力オン／オフを制御するように、回路板の電力入力ソケットと電力出力ソケットとの間に電気的に接続される。さらに、回路板は、内部ケース・データ記憶装置電力のオン／オフ状態および読取り／書込み状態を表示する、回路板に接続された第１インジケータと第２インジケータとを有する。
【００１６】
　図１〜４の特徴を有するＳＡＴＡ移動ラックのプロトタイプが構築されている。ＳＡＴＡ移動ラックは、滑らかに機能して上記で論じた特徴のすべてを提供している。
【００１７】
　本考案の特定の実施形態について、例示を目的として詳細に記述したが、本考案の精神および範囲から逸脱せずに、様々な修正と改善を実施することが可能である。したがって、本考案は、添付の請求項による場合を除いて、限定されない。
【図面の簡単な説明】
【００１８】
【図１】本考案によるＳＡＴＡ移動ラックの分解図である。
【図２】本考案の回路ブロック図である。
【図３】本考案の詳細な回路図である。
【図４】本考案によるＳＡＴＡ移動ラックの斜視図である。
【符号の説明】
【００１９】
　１　ハウジング
　２　内部ケース
　１１　室
　１２　背面パネル
　１３　アダプタ
　１４　回路板
　１５　ファン
　２１　背面パネル
　１３１ａ　信号セグメント
　１３１ｂ　信号線
　１３１ｄ　コネクタ
　１３２ａ　電力セグメント
　１３２ｂ　電力コード
　１３２ｃ　電気プラグ
　１３３　装着フランジ
　１４１　電力入力ソケット
　１４１ａ　ピン
　１４１ｂ　ピン
　１４１ｃ　ピン
　１４１ｄ　ピン
　１４２　接触ユニット
　１４２ａ　接点
　１４２ｂ　接点
　１４２ｃ　接点
　１４２ｄ　接点
　１４２ｅ　接点
　１４２ｇ　接点
　１４２ｆ　接点
　１４２ｈ　接点
　１４３　電気ワイヤ
　１４５　電力出力ソケット
　１４５ａ　ピン
　１４５ｂ　ピン
　１４５ｃ　ピン
　１４５ｄ　ピン
　１４５ｅ　ピン
　１４５ｆ　ピン
　１４６　電気ワイヤ
　１４７　ＬＥＤ
　１４８　ＬＥＤ
　１４９　電力出力ソケット
　１４９ａ　ピン
　１４９ｂ　ピン
　２１１　接続ポート
【図１】
0003099178.tif 000003
【図２】
0003099178.tif 000004
【図３】
0003099178.tif 000005
【図４】
0003099178.tif 000006